【事件の表示】
　特願２０１０−２０２２７９号「遊技機」拒絶査定不服審判事件〔平成２２年１２月　２日出願公開、特開２０１０−２６９１９６号〕について、次のとおり審決する。
【結　論】
　本件審判の請求は、成り立たない。
【理　由】
 第１　手続の経緯  
　本願は、平成１２年１月２５日に出願した特願２０００−１５２２３号の一部を平成２０年８月５日に新たな特許出願として出願した特願２００８−２０１７６４号の一部を平成２２年９月９日に新たな特許出願としたものであって、平成２４年１月３０日付けで拒絶の理由が通知され（発送日：同年２月１日）、同年３月３０日に意見書及び手続補正書が提出され、同年１１月２９日付けで拒絶の理由が通知され（発送日：同年１２月４日）、平成２５年１月１８日に意見書及び手続補正書が提出されたところ、同年１０月１１日付けで補正の却下の決定がなされるとともに拒絶査定がなされ（発送日：同年１０月１７日）、それに対して、同年１２月６日に拒絶査定不服審判の請求がなされると同時に明細書及び特許請求の範囲に係る手続補正がなされたものであり、その後、当審より平成２６年１２月４日付けで拒絶の理由が通知され（発送日：同年１２月５日）、平成２７年１月２９日に意見書及び手続補正書が提出されたものである。
  
 第２　本願発明について  
 １　本願発明  
　本願の請求項１に係る発明（以下「本願発明」という。）は、平成２７年１月２９日付け手続補正書により補正された特許請求の範囲に記載された次のとおりのものである。
　
　「【請求項１】
　遊技球を少なくとも賞球として排出するための球払出手段と、この球払出手段の動作を制御する排出制御装置と、前記球払出手段により排出される賞球を検出する賞球検出手段と、を備える遊技機において、
　前記排出制御装置は、
　遊技盤に設けられる入賞口への遊技球の入賞に基づいて決定されて送信される賞球数情報を払出実行値として記憶する払出実行値記憶手段と、
　前記賞球数情報を受信する毎に、受信した前記賞球数情報を前記払出実行値記憶手段に前記球払出手段の１回の最大排出球数を超えて累積加算する払出実行値加算手段と、
　前記賞球検出手段が賞球を検出する毎に、この検出された賞球数に対応する賞球数情報を前記払出実行値記憶手段から減算する払出実行値減算手段と、
　前記払出実行値記憶手段に前記賞球数情報が存在する場合に、前記球払出手段の１回の最大排出球数以下でかつ前記払出実行値記憶手段の記憶値以下という条件における最大値を払出目標値として設定し、前記払出目標値分だけの賞球の排出が行われるように前記球払出手段の動作を制御する払出実行制御手段と、を備え、
　前記払出実行制御手段の制御による前記球払出手段の動作によって前記払出目標値分より過剰な賞球の排出が行われても、前記払出実行値減算手段は過剰に排出された賞球数に対応する賞球数情報を前記払出実行値記憶手段から減算しないことを特徴とする遊技機。」
  
 ２　刊行物に記載された発明
 （１）刊行物１について
　当審の平成２６年１２月４日付けの拒絶の理由に刊行物１として引用された特開平８−２９９５６６号公報（以下「刊行物１」という。）には、図面とともに以下の事項が記載されている（下線は審決にて付した。以下同じ。）。
　
 （１−ａ）「【０００１】【発明の属する技術分野】　
本発明は、
所定個数の景品玉を払い出す景品玉払出手段と、を備えた弾球遊技機に関するものである
　
 （１−ｂ）「【００２２】　また、パチンコ遊技機１の背面には、機構板５３が開閉自在に取付けられている。この機構板５３は、
前記遊技盤１５に設けられた入賞口からの入賞玉
第１の入賞玉集合樋５７は、前記した各種の入賞口のうち始動入賞口３３を除く入賞口に入賞した入賞玉が誘導されるもので、機構板５３の前面側に形成される。また、第２の入賞玉集合樋５８は、始動入賞口３３だけに対応するもので、始動入賞口３３に入賞した入賞玉を誘導するものである
第１の入賞玉集合樋５７及び第２の入賞玉集合樋５８に誘導された入賞玉は、その流下末端に設けられる第１の入賞玉検出器５９及び第２の入賞玉検出器６０によってそれぞれ検出される。第１の入賞玉検出器５９によって検出された検出信号は、記憶され、その検出信号数に「１３」を掛けた数の景品玉が払出される。また、第２の入賞玉検出器６０によって検出された検出信号も記憶され、その検出信号数に「７」を掛けた数の景品玉が払出される
　
 （１−ｃ）「【００２７】　屈曲樋６６の下流側には、景品玉払出装置９０が接続されている。
景品玉払出装置９０は、屈曲樋６６から誘導される景品玉を１個単位で払出す
　
 （１−ｄ）「【００３３】　次に、図３ないし図５を参照して前記景品玉払出装置９０の構造について説明する。
景品玉払出装置９０
排出通路９５の上流部には、スプロケット１０５によって押出されて払出される景品玉を検出する払出景品玉検出器９６（例えば、近接スイッチ）が設けられている
　
【００３４】　一方、モータ取付板９７の上部には、前記供給通路９２を流下してきたパチンコ玉を下方に向けてガイドするガイド部９８が突設され、このガイド部９８の下方にパチンコ玉１個が載置される玉載置部９９が構成されている。玉載置部９９は、前記ガイド部９８の下部側面に形成された玉受壁１００と、該玉受壁１００の下方であって、前記玉支持部１０１ｂと対応するように位置してパチンコ玉の他方の下部１点を支持する玉支持部１０１ａと、パチンコ玉の一方の下部１点を支持する前記玉支持部１０１ｂとから構成されている。つまり、玉載置部９９は、供給通路９２で待機している景品玉の玉圧を受け止める機能と、最先端のパチンコ玉の下部を２点で支持する機能を有するものである。なお、モータ取付板９７及び取付板９１には、それぞれの玉支持部１０１ａ，１０１ｂから排出通路９５に向けて円弧状のガイドリブ１０２ａ，１０２ｂ（１０２ａは図示せず）が突設され、玉載置部９９に載置されていたパチンコ玉が排出通路９５に排出されるまでの間、その流下をガイドするようになっている。
　
【００３５】　また、モータ取付板９７の後面には、パルス信号がある毎に所定角度回転するステッピングモータからなる景品玉払出モータ１０３が取り付けられ、そのモータ軸１０４は、モータ取付板９７の前面に貫通して位置し、その先端には、外周に複数の爪部１０６を有するスプロケット１０５が固着されている。スプロケット１０５の爪部１０６は、パチンコ玉の外周面と係合するように凹状に形成されており、その爪部１０６が前記玉支持部１０１ａ，１０１ｂの間に挿入された位置配置となっている。このとき、図５に示されるように、爪部１０６の凹状の低部が玉支持部１０１ａ，１０１ｂより低い位置となっているので、玉載置部９９に載置されているパチンコ玉は、玉支持部１０１ａ，１０１ｂで支持された状態となり、スプロケット１０５には、玉圧が掛からないようになっている。
　
【００３６】　以上、説明した可変表示装置１８、可変入賞球装置２６、及び
景品玉払出装置９０は、図６に示す制御回路によって制御される
マイクロコンピュータ１１０は以下に述べるようなパチンコ遊技機１の全体の動作を制御する機能を有する。このために、マイクロコンピュータ１１０は、たとえば、数チップのＬＳＩで構成されており、その中には制御動作を所定の手順で実行することのできるＭＰＵ１１１と、ＭＰＵ１１１の動作プログラムデータを格納するＲＯＭ１１２と、必要なデータの書込みおよび読出しができるＲＡＭ１１３とを含む
　
【００３７】　ＭＰＵ１１１はパルス分周回路１１９から定期的に与えられる割込パルスに応じて、割込制御ルーチンの動作を実行することが可能となる。またアドレスデコード回路１２０はＭＰＵ１１１からのアドレスデータをデコードし、ＲＯＭ１１２、ＲＡＭ１１３、入力回路１１４、出力回路１１５、サウンドジェネレータ１１６にそれぞれチップセレクト信号を与える。なお、この実施形態では、ＲＯＭ１１２は、その内容の書き換え、すなわち必要が生じた場合には、その中に格納されたＭＰＵ１１１のためのプログラムデータを変更することができるようにプログラマブルＲＯＭが用いられる。
そしてＭＰＵ１１１はＲＯＭ１１２内に格納されたプログラムデータに従って、かつ以下に述べる各制御信号の入力に応答して、
景品玉払出装置９０等に対して制御信号を与える
　
【００３８】　マイクロコンピュータ１１０には、入力信号として、次のような信号が与えられる。まず、始動入賞口３３、３４ａ，３４ｂのそれぞれに対応して設けられた始動入賞玉検出器４８、４９ａ，４９ｂの検出信号は検出回路１２１に与えられ、マイクロコンピュータ１１０に始動入賞玉検出信号が与えられる。特定入賞玉検出器４６で検出された検出信号は検出回路１２２に与えられ、繰返し判定信号としてマイクロコンピュータ１１０に与えられる。入賞個数検出器４７で検出された検出信号は検出回路１２３に与えられ、入賞玉数計数信号としてマイクロコンピュータ１１０に与えられる。可変表示装置１８内に設けられるドラム位置検出器２２ａ〜２２ｃの検出信号は検出回路１２４に与えられ、マイクロコンピュータ１１０に各ドラムの絶対位置を判定するためのステップカウンタをリセットするための信号として与えられる。上皿満タン検出器７７及び下皿満タン検出器８１の信号は、検出回路１２５に与えられ、景品玉払出モータ１０３の停止信号としてマイクロコンピュータ１１０に与えられる。
入賞玉検出器５９（以下、入賞玉検出器Ａという）及び入賞玉検出器６０（以下、入賞玉検出器Ｂという）の検出信号は、検出回路１２６に与えられ、得点信号としてマイクロコンピュータ１１０に与えられる
　
【００３９】　また、
マイクロコンピュータ１１０は以下の回路又は装置に制御信号を与える。まず、モータ駆動回路１３０を介して景品玉払出モータ１０３に駆動信号を与える
　
 （１−ｅ）「【００５４】　以上のように、この景品玉払出モータコントロール処理は、払出未処理玉が記憶されていない場合、払出停止フラグＡがセットされている場合、及び払出停止フラグＢがセットされた状態で上皿満タン検出器７７がＯＮしている場合には、払出モータ１０３の駆動が停止され（ステップＳ５２）、それ以外の場合には、
払出未処理玉カウンタに記憶がある限り払出モータ１０３が駆動される
　
【００５５】　次に前記ステップＳ１０の払出景品玉検出器チェック処理について図１３を参照して説明する。この払出景品玉検出器チェック処理は、払出景品玉検出器９６の動作を制御するもので、
まず払出景品玉検出器９６がＯＮしているか否かが判別される（ステップＳ５４）
　
【００５６】　前記ステップＳ５６でアラームフラグＣがクリアされた後には、払出モータ１０３がＯＮしているか否かが判別され（ステップＳ５７）、ＯＮしていれば玉詰まりチェックタイマが終了したか否かが判別される（ステップＳ５８）。すなわち、この場合、払出モータ１０３がＯＮ中であるにも拘らず、玉詰まりチェックタイマ（１秒）が経過するまで払出景品玉検出器９６がＯＦＦ状態となっていることは、玉欠乏感知レバー６８の下流側から景品玉払出装置９０の玉載置部９９の間で玉が流れない何等かのトラブルが生じた可能性がある。このため玉詰まりチェックタイマが終了したと判定されたときには、アラームフラグＤがセットされる（ステップＳ５９）。そして、その後払出景品玉検出器チェック処理を終了してサブルーチンに戻る。
　
【００５７】　一方、前記ステップＳ５７において払出モータ１０３がＯＮ中でないと判別された場合、前記ステップＳ５８において玉詰まりチェックタイマが終了していないと判別された場合にも、払出景品玉検出器チェック処理を終了してサブルーチンに戻る。
　
【００５８】　
前記ステップＳ５４において払出景品玉検出器９６がＯＮしていると判別された場合には、次にチェックカウンタＣの値が最大（２５０）か否かが判別され（ステップＳ６０）
　
【００５９】　また、
チェックカウンタＣの値が最大でないと判別された場合には、チェックカウンタＣに「１」を加算し（ステップＳ６１）、その後、チェックカウンタＣの値が「２」か否かが判別される（ステップＳ６２）
「２」であると判別されたときには
払出未処理玉カウンタＡの値が「０」であるか否かが判別される（ステップＳ６５）。払出未処理玉カウンタＡの値が「０」の場合には、払出未処理玉カウンタＢの値が「０」か否かが判別され（ステップＳ６６）、「０」である場合には、アラームフラグＥをセットする（ステップＳ６７）。これは、払出未処理玉カウンタＡ、Ｂ共に「０」であるにも拘らず、払出景品玉検出器９６がＯＮすることは、何等かの不正により景品玉を払出していることを意味し、これがためアラームフラグＥをセットして報知するようにしている
　
【００６０】　
前記ステップＳ６５において、払出未処理玉カウンタＡの値が「０」でないと判別された場合には、その払出景品玉検出器９６による景品玉の検出動作が２つあるカウンタのうちいずれのカウンタに基づいて払出されているかを判定するためにカウンタＢ減算フラグがセットされているか否かが判別され（ステップＳ６８）、セットされていると判別された場合には、その払出が払出未処理玉カウンタＢに基づいて行われていると判定されて後述するステップＳ７１に進む。一方、セットされていないと判別された場合には、その払出が払出未処理玉カウンタＡに基づいて行われていると判定されて払出未処理玉カウンタＡの値から「１」が減算され（ステップＳ６９）、その減算された後の払出未処理玉カウンタＡの値が「１３」の倍数になっているか否かが判別される（ステップＳ７０）
　
 （１−ｆ）「【００６４】　次に前記ステップＳ１１及びステップＳ１２の入賞玉検出器Ａチェック処理及び入賞玉検出器Ｂチェック処理について図１４及び図１５を参照して説明する。この場合、入賞玉検出器Ａと入賞玉検出器Ｂのチェック処理は、全く同じであるので、一方の図１４だけについて説明し、図１５の説明を省略する。まず、
入賞玉検出器ＡがＯＮしたか否かが判別され（ステップＳ７７）
　
【００６５】　ところで、
前記ステップＳ７７で入賞玉検出器ＡがＯＮしたと判別された場合には、チェックカウンタＡの値が最大（２５０）になったか否かが判別され（ステップＳ８０）
　
【００６６】　また、
チェックカウンタＡの値が最大でないと判別された場合には、チェックカウンタＡに「１」を加算し（ステップＳ８１）、その後、チェックカウンタＡの値が「２」か否かが判別される（ステップＳ８２）
「２」であると判別されたときには、払出未処理玉カウンタＡ・Ｂが共に「０」であるか否かが判別され
　
【００６７】　前記ステップＳ８４において玉詰まりチェックタイマがセットされた場合、又は
前記ステップＳ８３において払出未処理玉カウンタＡ・Ｂのうち少なくとも一方が「０」でないと判別された場合には、払出未処理玉カウンタＡの値に「１３」が加算されて（ステップＳ８５）
　
 （１−ｇ）「【００７１】　なお、上記実施形態の変形例として以下のようなものが考えられる。
（１）
上記実施形態では、払出景品玉数の異なる２種類の入賞口を備えたものを示したが、払出景品玉数をすべて同一にしてもよい
（２）上記実施形態では、所定個数の払出が終了したら一定時間間隔を置いて次の所定個数の払出を開始するようにしたが、時間間隔を置くことなく、払出未処理玉カウンタが「０」になるまで連続的に払出すようにしてもよい。この場合には、
払出景品玉数が複数種類になっているものであっても、払出未処理玉カウンタを共通の１個のカウンタで構成しても良い
（３）景品玉払出制御に関し異常が生じた場合に、ゲーム制御を中断し、そのときの遊技状態を記憶するようにしてもよい。
（４）ゲーム制御に用いる入賞玉検出器を景品玉払出制御に兼用するようにしてもよい。例えば、上記実施形態において始動入賞玉検出器４８を景品玉払出制御にも用いるようにすれば、第２の入賞玉検出器６０は不要になる。また、入賞個数検出器４７を景品玉払出制御にも用いるようにすれば、入賞個数検出器４２に関する不正（引き抜き、ずらし等）をより有効に防止することができる。
（５）入賞玉検出器５９、６０に異常が生じた場合には、入賞玉集合樋５７、５８で集合される入賞玉を貯留できるようにしてもよい。また、払出景品玉検出器９６に異常が生じた場合には、景品玉排出通路を切り換えて景品玉が遊技者に払出されないようにしてもよい。
（６）上記実施形態では、払出未処理玉数、すなわち、払出の終了していない景品玉数を記憶表示させるようにしたが、景品玉数の代わりに入賞玉数を累積加算してその値を記憶表示させるようにしてもよい。
（７）
景品玉払出装置の構成は、実施形態に限定されない。また、１個づつ払出す構成に代えて一定個数（１３個又は７個等）をまとめて払出す構成にしてもよい
（８）上皿満タン検出器７７も設けなくてもよい。また、下皿満タン検出器８１を下部満タン感知板７８の動作によって作動させるように構成しても良い。
（９）上記実施形態では、１個の払出停止操作ボタン９を払出停止操作用と停止解除操作用とに兼用するようにしたが、別々の操作ボタンを設けてもよい。また、スライド式操作スイッチで構成しても良い。また、停止解除操作による払出の機能として、払出未処理玉を全部払出す機能と払出未処理玉のうち一部を払出す機能の２つの機能を設定し、遊技者が選択できるようにしてもよい。
（１０）遊技盤上に設けられた複数の入賞口への入賞の組合せに基づいて得点が発生する、いわゆるアレンジボール式パチンコ遊技機であってもよい。この場合、組合せの成立に応じて付与される得点を累積加算して記憶し表示させるようにすれば良い。」
　
 （１−ｈ）上記（１−ｅ）で摘記した段落【００６０】における「
減算された後の払出未処理玉カウンタＡの値が「１３」の倍数になっているか否かが判別される
払出未処理玉カウンタＡ・Ｂのうち少なくとも一方が「０」でないと判別された場合には、払出未処理玉カウンタＡの値に「１３」が加算され
　
 （１−ｉ）上記（１−ｃ）で摘記した段落【００２７】及び上記（１−ｇ）で摘記した段落【００７１】の記載からみて、１回の払出動作で払い出される最大個数は１個であるといえる。
　
 （１−ｊ）上記（１−ｇ）で摘記した段落【００７１】には「
払出景品玉数の異なる２種類の入賞口を備えたものを示したが、払出景品玉数をすべて同一にしてもよい
払出景品玉数が複数種類になっているものであっても、払出未処理玉カウンタを共通の１個のカウンタで構成しても良い
　
　上記（１−ａ）ないし（１−ｇ）の記載事項及び（１−ｈ）ないし（１−ｊ）の認定事項を総合すると、刊行物１には、次の発明が記載されていると認められる（以下「刊行物１発明」という。）。
　
 「景品玉を払い出す景品玉払出装置と、この景品玉払出装置の景品玉払出モータに駆動信号を与えるマイクロコンピュータと、前記景品玉払出装置により払い出される景品玉を検出する払出景品玉検出器と、を備える弾球遊技機において、
　前記マイクロコンピュータは、
　遊技盤に設けられる入賞口への入賞玉の入賞に基づいて計算される払出景品玉数を記憶する払出未処理玉カウンタと、
　入賞玉検出器によって入賞玉が検出されると、前記払出未処理玉カウンタに、前記景品玉払出装置の１回の最大払出球数である１個を超えて累積加算する手段と、
　前記払出景品玉検出器が景品玉を検出すると、この検出された景品玉数に対応する数だけ前記払出未処理玉カウンタから減算する手段と、
　前記払出未処理カウンタに景品玉数の記憶がある場合に、前記景品玉払出装置の景品玉払出モータを駆動する手段と、を備え、
　前記景品玉払出モータを駆動する手段の駆動による前記景品玉払出装置の払い出しによって、前記払出未処理玉カウンタがゼロである場合に前記払出景品玉検出器が景品玉を検出しても、前記払出未処理玉カウンタから減算する手段は、前記払出未処理玉カウンタから検出された景品玉数を減算しない弾球遊技機。」
　
 ２　対比
　本願発明と刊行物１発明とを対比する。
　
（１）刊行物１発明における「景品玉」は、遊技機で用いられる玉であるから、「賞球」としての「遊技球」に相当する。また、刊行物１発明における「払い出す」、「景品玉払出装置」、「景品玉払出装置の景品玉払出モータに駆動信号を与えるマイクロコンピュータ」、「払出景品玉検出器」及び「弾球遊技機」は、それぞれ、本願発明における「排出する」、「球払出手段」、「球払手段の動作を制御する排出制御装置」、「賞球検出手段」及び「遊技機」に相当する。
　したがって、刊行物１発明における「景品玉を払い出す景品玉払出装置と、この景品玉払出装置の景品玉払出モータに駆動信号を与えるマイクロコンピュータと、前記景品玉払出装置により払い出される景品玉を検出する払出景品玉検出器と、を備える弾球遊技機」は、本願発明における「遊技球を少なくとも賞球として排出するための球払出手段と、この球払出手段の動作を制御する排出制御装置と、前記球払出手段により排出される賞球を検出する賞球検出手段と、を備える遊技機」に相当する。
　
（２）本願発明における「払出実行値」は、「賞球数情報を払出実行値として記憶」との記載からみて、「賞球数情報」を言い換えたものであるから、刊行物１発明における「景品玉数」は、本願発明における「賞球数情報」ないし「払出実行値」に相当する。そして、刊行物１発明における「入賞玉」、「計算される」、及び「払出未処理玉カウンタ」は、それぞれ、本願発明における「遊技球」、「決定され」る、及び「払出実行値記憶手段」に相当する。
　したがって、本願発明と刊行物１発明とは、「遊技盤に設けられる入賞口への遊技球の入賞に基づいて決定され」る「賞球数情報を払出実行値として記憶する払出実行値記憶手段」を備えている点で共通する。
　
（３）刊行物１発明における「１回の最大払出球数である１個」及び「累積加算する手段」は、それぞれ、本願発明における「１回の最大排出球数」及び「累積加算する払出実行値加算手段」に相当するから、本願発明と刊行物１発明とは、「前記払出実行値記憶手段に前記球払出手段の１回の最大排出球数を超えて累積加算する払出実行値加算手段」を備えている点で共通する。
　
（４）刊行物１発明における「景品玉数に対応する数」及び「前記払出未処理玉カウンタから減算する手段」は、それぞれ、本願発明における「賞球数に対応する賞球数情報」及び「払出実行値減算手段」に相当するから、刊行物１発明における「前記払出景品玉検出器が景品玉を検出すると、この検出された景品玉数に対応する数だけ前記払出未処理玉カウンタから減算する手段」は、本願発明における「前記賞球検出手段が賞球を検出する毎に、この検出された賞球数に対応する賞球数情報を前記払出実行値記憶手段から減算する払出実行値減算手段」に相当する。
　
（５）刊行物１発明における「前記払出未処理カウンタに景品玉数の記憶がある場合」及び「前記景品玉払出装置の景品玉払出モータを駆動する手段」は、それぞれ、本願発明における「前記払出実行値記憶手段に前記賞球数情報が存在する場合」及び「前記球払出手段の動作を制御する払出実行制御手段」に相当するから、本願発明と刊行物１発明とは、「前記払出実行値記憶手段に前記賞球数情報が存在する場合」に「前記球払出手段の動作を制御する払出実行制御手段」を備えている点で共通する。
　
（６）本願の発明の詳細な説明の段落【００３４】には「なお本形態例では、
払出実行残カウンタ２１３ａのデータがゼロ
即ち、この場合には、ゼロのまま留める
　そして、刊行物１発明において「前記払出未処理玉カウンタがゼロである場合に前記払出景品玉検出器が景品玉を検出」するということは、景品玉が過剰に払出されていることを意味するから、刊行物１発明における「前記払出未処理玉カウンタがゼロである場合に前記払出景品玉検出器が景品玉を検出しても」は、本願発明における（前記支払実行値記憶手段の記憶値に相当する）「払出目標値分より過剰な賞球の排出が行われても」に相当する。
　したがって、刊行物１発明における「前記景品玉払出モータを駆動する手段の駆動による前記景品玉払出装置の払い出しによって、前記払出未処理玉カウンタがゼロである場合に前記払出景品玉検出器が景品玉を検出しても、前記払出未処理玉カウンタから減算する手段は、前記払出未処理玉カウンタから検出された景品玉数を減算しない」は、本願発明における「前記払出実行制御手段の制御による前記球払出手段の動作によって」（前記支払実行値記憶手段の記憶値に相当する）「払出目標値分より過剰な賞球の排出が行われても、前記払出実行値減算手段は過剰に排出された賞球数に対応する賞球数情報を前記払出実行値記憶手段から減算しない」に相当する。
　
（７）したがって、本願発明と刊行物１発明とは、
　
 「遊技球を少なくとも賞球として排出するための球払出手段と、この球払出手段の動作を制御する排出制御装置と、前記球払出手段により排出される賞球を検出する賞球検出手段と、を備える遊技機において、
　前記排出制御装置は、
　遊技盤に設けられる入賞口への遊技球の入賞に基づいて決定される賞球数情報を払出実行値として記憶する払出実行値記憶手段と、
　前記払出実行値記憶手段に前記球払出手段の１回の最大排出球数を超えて累積加算する払出実行値加算手段と、
　前記賞球検出手段が賞球を検出する毎に、この検出された賞球数に対応する賞球数情報を前記払出実行値記憶手段から減算する払出実行値減算手段と、
　前記払出実行値記憶手段に前記賞球数情報が存在する場合に前記球払出手段の動作を制御する払出実行制御手段と、を備え、
　前記払出実行制御手段の制御による前記球払出手段の動作によって払出目標値分より過剰な賞球の排出が行われても、前記払出実行値減算手段は過剰に排出された賞球数に対応する賞球数情報を前記払出実行値記憶手段から減算しない遊技機。」
　
の点で一致し、以下の点で相違する。
　
［相違点１］：
　
　本願発明における賞球数情報ないし払出実行値は、遊技盤に設けられる入賞口への遊技球の入賞に基づいて決定されて送信されるものであり、払出実行値加算手段は、前記賞球数情報を受信する毎に累積加算するのに対し、刊行物１発明における賞球数情報ないし払出実行値は、送信されるものではなく、払出実行値加算手段は、賞球数情報を受信する毎に累積加算するものでもない点。
　
［相違点２］：
　
　本願発明における払出実行制御手段は、球払出手段の１回の最大排出球数以下でかつ払出実行値記憶手段の記憶値以下という条件における最大値を払出目標値として設定し、払出目標値分だけの賞球の排出が行われるように球払出手段の動作を制御するのに対し、刊行物１発明における払出実行制御手段は、１個ずつ賞球の排出が行われるように球払出手段の動作を制御する点。
　
 ３　判断
（１）相違点１について
　遊技機において、主制御部で賞球個数を決定し、当該賞球個数を払出制御手段に送信することは、本願の遡及日前に周知の技術事項である（参照：特開平１１−２９０５３６号公報の段落【００２１】、【図６】等、特許第２９７４６７４号公報の段落【０００８】、【図４】等）。遊技機の分野において、異なる制御を異なる制御部に担わせることは、広く知られている事項にすぎないから、刊行物１発明に上記周知の技術事項を適用し、マイクロコンピュータを主制御部と払出制御手段とに分離し、払出制御手段において、主制御部から送信される賞球数情報を払出実行値として記憶したり、主制御部から送信された賞球数情報が払出制御手段において受信される毎に払出実行値に累積加算したりするように構成することは、当業者が適宜なし得る程度の事項にすぎない。
　
（２）相違点２について
　遊技機において、１個ずつの排出では短時間での大量の賞球排出が困難になるという課題を解決するために、合計払出球数を適宜設定された排出数単位ごとの排出と当該排出単位に満たない球数の排出に分けて排出制御することは本願の遡及日前に周知の技術事項である（参照：特開平５−２３４２２号公報の段落【０００３】、【００１２】等、特開平７−２１３７１７号公報の段落【０００８】、【０００９】、【００２６】ないし【００２８】等）。
　そして、１個ずつの排出では短時間での大量の賞球排出が困難になるという課題は、刊行物１発明にも内在する課題であり、さらに上記２（１）（１−ｇ）で摘記したように、刊行物１の段落【００７１】には「
１個づつ払出す構成に代えて一定個数（１３個又は７個等）をまとめて払出す構成にしてもよい
　
（３）本願発明が奏する効果について
　本願発明が奏する効果は、当業者が刊行物１発明及び上記周知技術から予測し得る程度のものであって、格別のものではない。
　
（４）請求人の主張について
　請求人は、平成２７年１月２９日付け意見書において、本願発明は、「賞球排出の目標値に対してまんがいち過剰に排出が行われた場合に、仮にトータルで整合を取る構成では、払出実行値記憶手段に
残った
　しかしながら、このような効果は、本願の発明の詳細な説明に裏づけられたものではなく、本願の発明の詳細な説明から自明な事項でもない。上記２（６）で述べたように、本願の発明の詳細な説明の段落【００３４】には「なお本形態例では、
払出実行残カウンタ２１３ａのデータがゼロ
即ち、この場合には、ゼロのまま留める
　よって、このような主張を採用することはできない。
　
（５）まとめ
　以上のように、本願発明は、当業者が刊行物１発明及び周知技術に基づいて容易に発明をすることができたものであるから、特許法第２９条第２項の規定により、特許を受けることができない。
　
 ５　むすび  
　以上のとおりであるから、本願発明は、特許法第２９条第２項の規定により特許を受けることができない。 
　
　よって、結論のとおり審決する。